(57)【要約】【課題】ＰＨＳシステム等への有線配線の接続を必要とせずに、入室者を自動的に認証する。【解決手段】ＩＤ番号記憶部４０には、入室が許可された者の携帯端末を特定するＩＤ番号が予め格納されている。送受信部７７は、受信部７１により受信された基地局２０のキャリア信号と同期した信号を送信し、携帯端末１００からの位置登録要求を受けて認証要求を行い携帯端末１００のＩＤ番号をＩＤ番号一時記憶部７４に格納する。照合管理部７５は、ＩＤ番号一時記憶部７４に格納されたＩＤ番号が予め認証を受けた番号であるか否かを問い合わせるための認証要求を入退室管理サーバ３０に対して行い、この入退室管理サーバ３０から認証する旨の回答を受信すると電気錠制御部７８を介して電気錠６０の解錠を指示する。【選択図】図２
2007023619.tif 000002
【特許請求の範囲】
【請求項１】
入室可能な人間が制限された部屋への入室者の認証を行って、入退室者の管理を行うための入退室管理システムであって、
入退室者を管理する部屋に対する人の出入りを制限するためのドアに設置された電気錠と、
前記電気錠の解錠／施錠を管理するための電気錠制御部と、前記入室者の所持する携帯端末と通信を行うための基地局から送信されるキャリア信号を受信する受信部と、前記受信部により受信されたキャリア信号と同期した信号を送信するとともに前記携帯端末からの位置登録要求を受けて認証要求を行い前記携帯端末からの認証応答に含まれるＩＤ番号をＩＤ番号一時記憶部に格納する送受信部と、前記ＩＤ番号一時記憶部に格納されたＩＤ番号が予め認証を受けた番号であるか否かを問い合わせるための認証要求を行い認証する旨の回答を受信すると前記電気錠制御部を介して前記電気錠の解錠を指示する照合管理部と、から構成された認証基地局と、
入室が許可された者の携帯端末を特定するＩＤ番号が予め格納されたＩＤ番号記憶部と、
前記認証基地局から認証要求を受けたＩＤ番号が前記ＩＤ番号記憶部に格納されたＩＤ番号と一致するか否かを判定し、認証要求を受けたＩＤ番号が前記ＩＤ番号記憶部に格納されたＩＤ番号と一致した場合には、認証する旨の回答を前記認証基地局に返信する入退室管理サーバと、
を備えた入退室管理システム。
【請求項２】
前記携帯端末がＰＨＳ端末である請求項１記載の入退室管理システム。
【請求項３】
前記携帯端末が携帯電話端末である請求項１記載の入退室管理システム。
【請求項４】
入室可能な人間が制限された部屋への入室者の認証を行って、入退室者の管理を行うための入退室管理システムであって、
入退室者を管理する部屋に対する人の出入りを制限するためのドアに設置された電気錠と、
前記電気錠の解錠／施錠を管理するための電気錠制御部と、前記入室者の所持する携帯端末と通信を行うための基地局から送信されるビーコン信号を受信する受信部と、前記受信部により受信されたビーコン信号と同期した信号を送信するとともに前記携帯端末からの認証要求を受けて前記携帯端末からの認証要求に含まれるＭＡＣアドレスをＭＡＣアドレス一時記憶部に格納する送受信部と、前記ＭＡＣアドレス一時記憶部に格納されたＭＡＣアドレスが予め認証を受けた番号であるか否かを問い合わせるための認証要求を行い認証する旨の回答を受信すると前記電気錠制御部を介して前記電気錠の解錠を指示する照合管理部と、から構成された認証基地局と、
入室が許可された者の携帯端末を特定するＭＡＣアドレスが予め格納されたＭＡＣアドレス記憶部と、
前記認証基地局から認証要求を受けたＭＡＣアドレスが前記ＭＡＣアドレス記憶部に格納されたＭＡＣアドレスと一致するか否かを判定し、認証要求を受けたＭＡＣアドレスが前記ＭＡＣアドレス記憶部に格納されたＭＡＣアドレスと一致した場合には、認証する旨の回答を前記認証基地局に返信する入退室管理サーバと、
を備えた入退室管理システム。
【請求項５】
前記携帯端末が無線ＩＰ端末であり、前記認証基地局が無線ＬＡＮ端末である請求項４記載の入退室管理システム。
【発明の詳細な説明】
【技術分野】
【０００１】
本発明は、入室可能な人間が制限された部屋への入室者の認証を行って、入退室者の管理を行うための入退室管理システムに関する。
【背景技術】
【０００２】
様々な企業や組織では、個人情報や機密情報の漏洩を防ぐために、入室可能な人間を制限したり、誰が何時入退室したかを記録するための入退室管理が行われている。このような入退室管理の方法としては、認証が必要な部屋や領域へ入室する場合に、認証用のＩＤカードをカード読み取り装置などにて読み取らせることにより入室者の認証を行い、入室者が許可された者であることを確認することで、ドアの解錠を行うことが従来から行われている。
【０００３】
しかし、このような従来の入退室管理システムでは、ドアを解錠するためには認証を受けるための特定の操作が必要であるため、両手が使用できない状態では認証を受けることができず不便であるという問題がある。
【０００４】
このような不便さを解消すべくＲＦタグを利用したＲＦＩＣカード等の認証カードにより認証を行ったり、指紋や光彩などのバイオ識別を利用して認証を行うことが行われている。しかし、ＲＦＩＣカードなどは通達距離が未だ短く、入力操作部へ近づけないと解錠できない不便さがあるし、認証鍵としてのＲＦタグやＲＦＩＣカードを携帯しなければならないという不便さがある。また、指紋や光彩などのバイオ識別を利用して認証を行う場合であっても、認証の操作行為そのものが困難であったり、また認証を理解しない子供などの入退室の場合もあり必ずしも操作性に問題が無いわけではない。
【０００５】
さらに、特別な認証鍵の所持を不要にするために、携帯電話端末やＰＨＳ端末等の移動端末を認証鍵として認証を行い、ドアの解錠を行うようにした入退室方法も提案されている（例えば、特許文献１参照。）。
【０００６】
しかし、このような入退室管理方法によっても解錠操作を行う必要があり、両手が塞がっている場合等では認証を容易に受けることができない。
【０００７】
このような操作性の不便さを解消するため、ＰＨＳ端末を利用して入室者を自動的に認証し、何の操作も必要とすることなくドアの解錠を行うような入退室管理システムが提案されている（例えば、特許文献２、３参照。）。このような従来の入退室管理システムによれば、入室者はＰＨＳ端末を身に付けているだけでドアの解錠が行われ煩わしい認証操作から解放されることになる。
【０００８】
この特許文献２に開示された入退室管理方法は、電気錠と連動した基地局において子機からの電界強度を検出し子機位置を判定し、電気錠を開錠する仕組みであるが、ＰＨＳシステムと入退室管理システムとを接続する必要があるとともに入退室管理を行うドアの側に１対１対応でＰＨＳ基地局を設置する必要があり、入退室管理を行うドア毎に有線配線が必要となるという大きな問題がある。
【０００９】
また、特許文献３に開示された入退室管理方法は、事業所用コードレス電話機を所持した入室者が、入退室管理が行われているドアの近傍に設置された入退室管理用無線基地局の監視領域に入ると、コードレス電話システムに接続された入退室制御装置がドアの解錠を行う仕組みである。このような入退室管理方法においても、入退室管理を行うドア近傍には、ＰＨＳシステムに接続された入退室管理用無線基地局や電子錠を設置する必要があり、入退室管理を行うドア毎に有線配線が必要となるという大きな問題がある。
【００１０】
そして、入退室管理を行うドア毎に有線配線が必要となることにより、新たに入退室管理を行う必要が発生した際の設置の費用、手間が大きくなり、入室制限を行う部屋や領域の変更、移動等が容易に行えない等の弊害が発生する。
【特許文献１】特開２００２−１６１６５７号公報
【特許文献２】特開２００１−２０４０５９号公報
【特許文献３】特開平９−１５４１６７号公報
【発明の開示】
【発明が解決しようとする課題】
【００１１】
上述した従来の入退室管理システムでは、ＰＨＳシステム等を利用して入退室管理を行おうとした場合、ＰＨＳシステムと入退室管理システムとを連携させるための有線配線が必要になり、設置したり移動したりする際の手間が煩雑であるという問題点があった。
【００１２】
本発明の目的は、入室者を自動的に認証することができるとともに、ＰＨＳシステム等への有線配線の接続を必要とせずに独立して設置可能な入退室管理システムを提供することである。
【課題を解決するための手段】
【００１３】
上記目的を達成するために、本発明の入退室管理システムは、入室可能な人間が制限された部屋への入室者の認証を行って、入退室者の管理を行うための入退室管理システムであって、
入退室者を管理する部屋に対する人の出入りを制限するためのドアに設置された電気錠と、
前記電気錠の解錠／施錠を管理するための電気錠制御部と、前記入室者の所持する携帯端末と通信を行うための基地局から送信されるキャリア信号を受信する受信部と、前記受信部により受信されたキャリア信号と同期した信号を送信するとともに前記携帯端末からの位置登録要求を受けて認証要求を行い前記携帯端末からの認証応答に含まれるＩＤ番号をＩＤ番号一時記憶部に格納する送受信部と、前記ＩＤ番号一時記憶部に格納されたＩＤ番号が予め認証を受けた番号であるか否かを問い合わせるための認証要求を行い認証する旨の回答を受信すると前記電気錠制御部を介して前記電気錠の解錠を指示する照合管理部と、から構成された認証基地局と、
入室が許可された者の携帯端末を特定するＩＤ番号が予め格納されたＩＤ番号記憶部と、
前記認証基地局から認証要求を受けたＩＤ番号が前記ＩＤ番号記憶部に格納されたＩＤ番号と一致するか否かを判定し、認証要求を受けたＩＤ番号が前記ＩＤ番号記憶部に格納されたＩＤ番号と一致した場合には、認証する旨の回答を前記認証基地局に返信する入退室管理サーバとを備えている。
【００１４】
本発明では、入室者の所持する携帯端末により入室者の認証を行うために、ドアの近傍に電気錠を制御するための認証基地局を設ける。この認証基地局は、携帯端末と通信を行うための基地局からの信号を受信し、受信した信号に同期した信号を送信することにより、携帯端末を所持した入室者が認証基地局の認証区域に入った場合、携帯端末の位置登録機能を利用して携帯端末からＩＤ番号を取得し、このＩＤ番号が予め登録されたＩＤ番号と一致した場合に電気錠を解錠して入室者の入室を許可するようにする。
【００１５】
従って、入室者は携帯端末を所持して認証基地局の認証区域内に入るだけで認証を受けてドアの解錠を行うことができる。また、携帯端末の基地局からの電波が受信できる範囲に認証基地局を設置するだけでシステム構築が可能なため、認証基地局と携帯端末の基地局との間には有線配線は必要でないため、ＰＨＳシステムや携帯電話システム等への有線配線による接続を必要とせずに独立して設置可能な入退室管理システムを提供することができる。
【００１６】
また、前記携帯端末をＰＨＳ端末または携帯電話端末としてもよいし、前記携帯端末を無線ＩＰ端末とし、前記認証基地局を無線ＬＡＮ端末とし、前記ＩＤ番号をＭＡＣアドレスとしてもよい。
【発明の効果】
【００１７】
以上説明したように、本発明によれば、電気錠を設置したドアの近傍に認証基地局を設置するだけでいいため、認証基地局とＰＨＳシステムや携帯電話システム等との間の有線配線を必要することなく携帯端末を所持する入室者の認証を自動的に行うことが可能になり、新たな設置や移動等が容易になるという効果を得ることができる。
【発明を実施するための最良の形態】
【００１８】
次に、本発明の実施の形態について図面を参照して詳細に説明する。
【００１９】
携帯電話システムの携帯端末では、現在アクセスしている電界強度より他の基地局からの電界強度が強くなると、その基地局の電波にアクセスする。そして、携帯端末は、基地局からの報知情報中の位置登録エリア番号が変わると、位置登録を起動し、位置登録要求を基地局に対して送出する。
【００２０】
本実施形態の入退室管理システムは、この位置登録の機能を利用して、擬似的な基地局を認証基地局として設け、この認証基地局により入室者の認証を行うようにしたものである。携帯端末がこの認証基地局の認証領域に入ると、携帯端末では、認証基地局からの電波の電界強度が強くなり位置登録を起動する。そして、認証基地局では、この位置登録処理を利用して、認証領域に入った携帯端末の認証ＩＤを取得して、この認証ＩＤが事前に登録されていれば電気錠の解錠を行う仕組みである。
【００２１】
（第１の実施形態）
本発明の第１の実施形態の入退室管理システムのシステム図を図１に示し、ブロック図を図２に示す。
【００２２】
図１には、携帯端末１００を所持する入室者１１０が、基地局２０の通話区域から、ドアに設置された電気錠６０を制御する認証基地局７０の認証区域へ入った場合の図を示す。また、本実施形態の入退室管理システムは、図２に示されるように、電気錠６０と、認証基地局７０と、入退室管理サーバ３０と、ＩＤ番号記憶部４０と、入力部５０とから構成されている。
【００２３】
電気錠６０は、入退室者を管理する部屋に対する人の出入りを制限するためのドアに設置される。ＩＤ番号記憶部（ＤＢ）４０には、入室が許可された者の携帯端末を特定するＩＤ番号が予め格納されている。
【００２４】
入退室管理サーバ３０は、認証基地局７０から認証要求を受けたＩＤ番号がＩＤ番号記憶部４０に格納されたＩＤ番号と一致するか否かを判定し、認証要求を受けたＩＤ番号がＩＤ番号記憶部４０に格納されたＩＤ番号と一致した場合には、認証する旨の回答を認証基地局７０に返信する。
【００２５】
また、本実施形態の入退室管理システムは、移動無線システムを利用したシステムであり、この移動無線システムにおける基地局２０は、ＩＳＤＮや一般回線に接続された主装置１０に接続される一般的な装置である。そして、本実施形態の入退室管理システムにおける認証基地局７０は、この基地局２０から送信される電波を受信できる範囲内に設置されていることが前提であるが、携帯端末１００が基地局２０と接続出来ない場所であれば、基地局２０が無くとも認証基地局７０のキャリア信号を自走させておけば、認証基地局７０への位置登録動作により可能である。
【００２６】
認証基地局７０は、入退室管理サーバ３０と接続され、受信部７１と、ＬＡＮインタフェース（ＬＡＮ  Ｉ／Ｆ）７２と、制御部７３と、ＩＤ番号一時記憶部７４と、照合管理部７５と、タイマ７６と、送受信部７７と、電気錠制御部７８、電源部７９と、受信アンテナと、認証基地局送受信アンテナ９０とから構成されている。
【００２７】
受信部７１は、入室者の所持する携帯端末１００と通信を行うための基地局２０から送信されるキャリア信号を、受信アンテナ８０を介して受信する。
【００２８】
送受信部７７は、受信部７１により受信されたキャリア信号と同期した信号を認証基地局送受信アンテナ９０を介して送信するとともに携帯端末１００からの位置登録要求を受けて認証要求を行い携帯端末１００からの認証応答に含まれるＩＤ番号をＩＤ番号一時記憶部７４に格納する。
【００２９】
ＩＤ番号一時記憶部７４は、送受信部７７により受信されたＰＨＳからの電波を受信しＩＤ番号を解析して一時記憶する。入力部５０は、入室を許可された者の携帯端末１００のＩＤ番号を入力するための装置である。
【００３０】
電気錠制御部７８は、入退室を管理するドアに設置された電気錠６０の解錠／施錠を制御する。
【００３１】
照合管理部７５は、ＩＤ番号一時記憶部７４に格納されたＩＤ番号が予め認証を受けた番号であるか否かを問い合わせるための認証要求を入退室管理サーバ３０に対して行い、この入退室管理サーバ３０から認証する旨の回答を受信すると電気錠制御部７８を介して電気錠６０の解錠を指示する。
【００３２】
タイマ部７６は、指定された時間を測定する。制御部７３は、認証基地局７０を構成する各構成要素を制御する。電源部７９は、認証基地局７０を構成する各構成要素に対して電源を供給する。
【００３３】
なお、認証基地局７０はＬＡＮを介して別のドアの電気錠を制御する別の認証基地局と接続するようにしてもよいし、入室区域と関連する退室側へ設置するようにしてもよい、別のドア電気錠へ接続するようにしてもよい。
【００３４】
次に、本実施形態の入退室管理システムの動作を図１と、図２および図３のシーケンスチャートを参照して詳細に説明する。
【００３５】
先ず、認証基地局７０では、受信部７１により基地局２０からのキャリア信号を受信し、送受信部７７により受信したキャリア信号に同期した信号をキャリア信号として送信する。このようにすることにより、基地局２０から送信されるキャリア信号と、認証基地局７０から送信されるキャリア信号とが衝突し、お互いに干渉する状態にしておく。
【００３６】
このような状態において、携帯端末１００を保持する入室者１１０が入室者が制限されている部屋に移動してきた場合の動作を図３のシーケンスチャートを参照して説明する。
【００３７】
まず、携帯端末１００を保持する入室者１１０が、入退室が管理されている部屋または領域に近づいた場合、基地局２０の通話区域に入るため、携帯端末１００は基地局２０からの電波を受信して、携帯端末１００と基地局２０との間で接続が確立される（ステップ３０１）。そして、入室者１１０が基地局２０の通話区域から、認証基地局７０の認証区域へ移動した場合、携帯端末１００では、基地局２０から受信したキャリア信号の電界強度よりも、認証基地局７０から受信したキャリア信号の電界強度のほうが大きくなる（ステップ３０２、３０３）。そのため、携帯端末１００は、認証基地局７０からの電波にアクセスするようになる。そして、認証基地局７０の報知情報中の位置登録エリア番号と、基地局２０の報知情報中の位置登録エリア番号は、異なる番号が設定されているため、報知情報中の位置登録エリア番号が変化したことを検出した携帯端末１００は、認証基地局７０に対して位置登録要求を行う（ステップ３０４）。そして、この携帯端末１００からの位置登録要求を受けた認証基地局７０では、携帯端末１００に対して認証要求を送信する（ステップ３０５）。この、認証基地局７０からの認証要求を受信した携帯端末１００では、認証応答を認証基地局７０に返信する（ステップ３０６）。
【００３８】
認証基地局７０では、この認証応答から携帯端末１００のＩＤ番号を取得し、ＩＤ番号を取得後に入退室管理サーバ３０へ問い合わせを行う（ステップ３０７）。認証基地局７０からの認証ＩＤ問い合わせを受けた入退室管理サーバ３０では、問い合わせを受けたＩＤ番号がＩＤ番号記憶部４０に記憶されたＩＤ番号と一致するか否かを判定して（ステップ３０８）、この判定結果を認証基地局７０に回答する（ステップ３０９）。そして、入退室管理サーバ３０からの回答を受けた認証基地局７０では、問い合わせをしたＩＤ番号が予め登録されているＩＤ番号と一致した旨の回答を受けた場合、電気錠制御部７８を介して電気錠６０に対して解錠信号を出力する（ステップ３１０）。この解錠信号により電気錠６０は解錠されるため、入退室者はドアからの入退室が可能となる。そして、入退室が確認されると（ステップ３１１）、電気錠６０から認証基地局７０に対して閉錠信号が送られ（ステップ３１２）、認証基地局７０は施錠されたことを確認する。なお、認証基地局７０が解錠信号を電気錠６０に対して送信した後（ステップ３１０）、タイマ７６を起動させ一定時間が経過したか否かを測定し（ステップ３１３）、一定時間以上が経過した場合には、電気錠６０を強制的に施錠する。
【００３９】
本実施形態の入退室管理システムによれば、携帯端末１００のＩＤ番号を事前に入退室管理サーバ３０が管理するＩＤ番号記憶部４０に登録しておくことで、この携帯端末１００の電源を入れて携帯して認証基地局７０の認証区域内に入るだけで電気錠６０が解錠されて入退室が管理された部屋または領域への入室が可能となる。そのため、認証カードやバイオ認証等による入退室ための特定の操作をしなくとも、容易に入退室を行うことが可能となる。また、携帯端末１００のＩＤ番号を利用するので、特殊な認証の仕組みがなくとも容易に認証を可能とする。
【００４０】
そして、本実施形態の入退室管理システムは、認証基地局７０において基地局２０から送信される電波を受信する以外は、移動無線システムとは独立していて、特に有線配線とは必要とならない。そのため、本実施形態の入退室管理システムによれば、入退室を管理する部屋または領域へのドアに電気錠６０を設置し、このドアに近接して認証基地局７０を設置するだけで構成が可能となり、新たに設置したり、他の場所に移動したりする等の作業が従来のシステムと比較して容易になる。
【００４１】
上記の説明では、携帯端末１００が待ち受け状態で認証基地局７０の認証区域に入った場合の動作について説明していたが、携帯端末１００が基地局２０を介して通話中に、認証基地局７０の認証区域へ入った場合にも携帯端末１００から認証基地局７０に対して位置登録要求が同様に行われて、上記で説明したのと同じ処理が行われる。なお、携帯端末１００が基地局２０を介して通話中に、認証基地局７０の認証区域へ入った場合には、認証基地局７０と携帯端末１００との通信中だけ通話が途切れることになる。しかし、この認証区域を通過後は、本来の基地局２０との接続が確立されれば呼が切断されることはなく、通話中の呼はそのまま継続することができる。
【００４２】
（第２の実施形態）
次に、本発明の第２の実施形態の入退室管理システムについて図４を参照して説明する。図４において、図２中の構成要素と同一の構成要素には同一の符号を付し、説明を省略するものとする。
【００４３】
本実施形態の入退室管理システムは、主装置１０内にＩＤ番号記憶部１２０が新たに設けられ、入退室管理サーバ３０は、主装置１０と接続してＩＤ番号記憶部１２０に記憶あれたＩＤ番号をＩＤ番号記憶部４０に転送する動作のみが、上記の第１の実施形態の入退室管理システムと異なっている。
【００４４】
本実施形態の入退室管理システムによれば、入室を許可された者を特定するだけで、入退室管理サーバ３０は、その者の所持する携帯端末１００のＩＤ番号を、主装置１０のＩＤ番号記憶部１２０から入手してＩＤ番号記憶部４０に格納することが可能となる。そのため、入室を許可された者の携帯端末１００のＩＤ番号を入力する手間を省くことが可能となる。
【００４５】
上記第１および第２の実施形態では、一般的な移動通信システムに対して本発明を適用した場合について説明したが、通常のＰＨＳシステムや携帯電話システムに対して適用することは当然のことである。ここで、携帯電話システムに対して本発明を適用した場合には、図１に示した基地局の通話区域はかなり広い範囲となるが、この場合でも認証基地局７０が基地局からの電波を受信し基地局と同期させることで本発明を適用することは可能である。
【００４６】
（第３の実施形態）
次に、本発明の第３の実施形態の入退室管理システムについて図５を参照して説明する。図５において、図２中の構成要素と同一の構成要素には同一の符号を付し、説明を省略するものとする。
【００４７】
上記第１および第２の実施形態では、ＰＨＳシステムや携帯電話システム等の移動無線システムに対して本発明を適用した場合であったが、本実施形態では、無線ＬＡＮシステムに対して本発明を適用した場合である。
【００４８】
本発明を適用する無線ＬＡＮシステムは、無線ＬＡＮ端末１４０がゲートウェイ１３０を介してＩＳＤＮ／一般回線に接続された構成となっている。そして、携帯端末１００は、無線ＩＰ端末が利用される。
【００４９】
そして、本実施形態の入退室管理システムは、認証基地局１７０と、電気錠６０と、入退室管理サーバ３０と、ＭＡＣアドレス記憶部１５０と、入力部５０とから構成されている。
【００５０】
認証基地局１７０は、図２に示した第１の実施形態における認証基地局７０に対して、ＩＤ番号一時記憶部７４がＭＡＣ（Medium Access Control)アドレス一時記憶部８４に置き換わった構成となっている。また、実際には、この認証基地局１７０は、無線ＬＡＮ端末を用いて実現される。
【００５１】
ＭＡＣアドレス一時記憶部８４は、無線ＩＰ端末からのＭＡＣアドレスを一時記憶する記憶部である。また、ＭＡＣアドレス記憶部１５０は、予め入室が許可された者の携帯端末１００に対応したＭＡＣアドレスが予め格納されている。
【００５２】
本実施形態の入退室管理システムにおける動作は、図２に示した第１の実施形態の入退室管理システムに対して、ＩＤ番号をＭＡＣアドレスに変えたものである。
【００５３】
先ず、認証基地局１７０では、受信部７１により無線ＬＡＮ端末１４０からのビーコン信号を受信し、送受信部７７により受信したビーコン信号に同期した信号をビーコン信号として送信する。このようにすることにより、無線ＬＡＮ端末１４０から送信されるビーコン信号と、認証基地局１７０から送信されるビーコン信号とを同期させ、ビーコン信号が衝突しないような状態にしておく。携帯端末１００はビーコン電界強度（ＲＳＳＩ：Received Signal Strength Indicator)をモニタし、ＲＳＳＩが最も高い無線ＬＡＮ基地局を決定し、その無線ＬＡＮ基地局へ認証要求（加入要求）フレームを送信する。
【００５４】
このような状態において、携帯端末１００を保持する入室者１１０が入室者が制限されている部屋に移動してきた場合の動作を図６のシーケンスチャートを参照して説明する。
【００５５】
まず、携帯端末１００を保持する入室者１１０が、入退室が管理されている部屋または領域に近づいた場合、無線ＬＡＮ端末１４０の通話区域に入るため、携帯端末１００は無線ＬＡＮ端末１４０からの電波を受信して、携帯端末１００と無線ＬＡＮ端末１４０との間で接続が確立される（ステップ７０１）。そして、入室者１１０が無線ＬＡＮ端末１４０の通信可能区域から、認証基地局１７０の認証区域へ移動した場合、携帯端末１００では、無線ＬＡＮ端末１４０から受信したビーコン信号の電界強度よりも、認証基地局１７０から受信したビーコン信号の電界強度のほうが大きくなる（ステップ７０２、７０３）。そのため、携帯端末１００は、認証基地局１７０からの電波にアクセスするようになる。
【００５６】
そして、このアクセスにより無線ＬＡＮ端末１４０から認証基地局１７０に対して認証要求が送信され、送信された報知情報中の携帯端末１００のＭＡＣアドレスにて加入要求が行われる（ステップ７０４）。
【００５７】
認証基地局１７０では、この認証要求から携帯端末１００のＭＡＣアドレスを取得し、ＭＡＣアドレスを取得後に入退室管理サーバ３０へ問い合わせを行う（ステップ７０５）。認証基地局１７０からの認証ＭＡＣ問い合わせを受けた入退室管理サーバ３０では、問い合わせを受けたＭＡＣアドレスがＭＡＣアドレス記憶部１５０に記憶されたＭＡＣアドレスと一致するか否かを判定して（ステップ７０６）、この判定結果を認証基地局１７０に回答する（ステップ７０７）。そして、入退室管理サーバ３０からの回答を受けた認証基地局１７０では、問い合わせをしたＭＡＣアドレスが予め登録されているＭＡＣアドレスと一致した旨の回答を受けた場合、電気錠制御部７８を介して電気錠６０に対して解錠信号を出力する（ステップ７０８）。この解錠信号により電気錠６０は解錠されるため、入退室者はドアからの入退室が可能となる。そして、入退室が確認されると（ステップ７０９）、電気錠６０から認証基地局１７０に対して閉錠信号が送られ（ステップ７１０）、認証基地局１７０は施錠されたことを確認する。なお、認証基地局１７０が解錠信号を電気錠６０に対して送信した後（ステップ７０８）、タイマ７６を起動させ一定時間が経過したか否かを測定し（ステップ７１１）、一定時間以上が経過した場合には、電気錠６０を強制的に施錠する。
【００５８】
本実施形態の入退室管理システムでは、携帯端末１００として無線ＩＰ端末を携帯して当該認証基地局１７０の認証区域に入った場合に、携帯端末１００が認証基地局１７０と接続することにより、携帯端末１００のＭＡＣアドレスがＭＡＣアドレス一時記憶部８４へ記憶され、当該ＭＡＣアドレスと事前にＭＡＣアドレス記憶部１５０に登録されたＭＡＣアドレスとが照合され、一致した場合は電気錠制御部７８より電気錠６０へ解錠信号が出力され、電気錠６０が解除される。
【００５９】
（第４の実施形態）
次に、本発明の第４の実施形態の入退室管理システムについて図７を参照して説明する。図７において、図５中の構成要素と同一の構成要素には同一の符号を付し、説明を省略するものとする。
【００６０】
本実施形態においては、図７にて示す、認証基地局１７０をゲートウェイ１３０とＬＡＮにて接続し、登録のための事前のＭＡＣアドレスをＬＡＮを介して入手する構成を示す。図５にて示した第３の実施形態の入退室管理システムでは、入室を許可された者の携帯端末１００のＭＡＣアドレスは入力部５０より登録されるが、図７に示した本実施形態の入退室管理システムでは、入退室管理サーバ３０は、無線ＬＡＮシステムからＬＡＮ経由にて入室を許可された者が所持する携帯端末１００のＭＡＣアドレスを入手して、ＭＡＣアドレス記憶部１５０へ記憶する。
【００６１】
本実施形態の入退室管理システムによれば、入室を許可された者を特定するだけで、入退室管理サーバ３０は、その者の所持する携帯端末１００のＭＡＣアドレスを、ＬＡＮを介して無線ＬＡＮシステムから入手してＭＡＣアドレス記憶部１５０に格納することが可能となる。そのため、入室を許可された者の携帯端末１００のＭＡＣアドレスを入力する手間を省くことが可能となる。
【図面の簡単な説明】
【００６２】
【図１】本発明の第１の実施形態の入退室管理システムのシステム図である。
【図２】本発明の第１の実施形態の入退室管理システムの構成を示すブロック図である。
【図３】図１の入退室管理システムの動作を示すシーケンスチャートである。
【図４】本発明の第２の実施形態の入退室管理システムの構成を示すブロック図である。
【図５】本発明の第３の実施形態の入退室管理システムの構成を示すブロック図である。
【図６】図５の入退室管理システムの動作を示すシーケンスチャートである。
【図７】本発明の第４の実施形態の入退室管理システムの構成を示すブロック図である。
【符号の説明】
【００６３】
１０    主装置
２０    基地局
３０    入退室管理サーバ
４０    ＩＤ番号記憶部（ＤＢ）
５０    入力部
６０    電気錠
７０    認証基地局
７１    受信部
７２    ＬＡＮインタフェース（ＬＡＮ  Ｉ／Ｆ）
７３    制御部
７４    ＩＤ番号一時記憶部
７５    照合管理部
７６    タイマ
７７    送受信部
７８    電気錠制御部
７９    電源部
８０    受信アンテナ
８４    ＭＡＣアドレス一時記憶部
９０    認証基地局送受信アンテナ
１００    携帯端末
１１０    入室者
１２０    ＩＤ番号記憶部
１３０    ゲートウェイ
１４０    無線ＬＡＮ端末
１５０    ＭＡＣアドレス記憶部（ＤＢ）
１７０    認証基地局
３０１〜３１３    ステップ
７０１〜７１１    ステップ
【図１】
2007023619.tif 000003
【図２】
2007023619.tif 000004
【図３】
2007023619.tif 000005
【図４】
2007023619.tif 000006
【図５】
2007023619.tif 000007
【図６】
2007023619.tif 000008
【図７】
2007023619.tif 000009